【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
表示画面に画像を表示する表示制御手段と、
前記表示画面に表示されている画像中に、触感を与える触感領域を設定する設定手段と、
前記設定手段で設定した前記触感領域に関する情報を前記画像に関連付けて記録する記録手段と
を有し、
前記表示制御手段は、前記触感領域を、触感の設定されていない領域の表示態様と異なる表示態様で表示することを特徴とする情報処理装置。
【請求項２】
触感の種別を指定する指定手段をさらに有し、
前記設定手段は、前記触感領域毎に指定された触感の種別をさらに設定し、
前記記録手段は、前記画像に関連付けて、前記触感領域毎に指定された触感の種別を記録することを特徴とする請求項１に記載の情報処理装置。
【請求項３】
前記表示制御手段は、前記触感領域を、指定された触感の種別によって異なる表示態様で表示することを特徴とする請求項２に記載の情報処理装置。
【請求項４】
触感の強度の指定を受け付ける強度受付手段をさらに有し、
前記設定手段は、前記触感領域毎に指定された強度をさらに設定し、
前記記録手段は、前記画像に関連付けて、前記触感領域毎に指定された触感の強度を記録する請求項２又は３に記載の情報処理装置。
【請求項５】
ユーザによる操作子を用いた表示画面へのタッチ入力を検出する検出手段をさらに有し、
前記設定手段は、前記検出手段が検出したタッチ入力により前記表示画面内での範囲の指定を受け付けて、受け付けた当該範囲を前記触感領域として設定することを特徴とする請求項１乃至４の何れか１項に記載の情報処理装置。
【請求項６】
前記表示画面を介して操作子に与える触感を生成する触感生成手段をさらに有し、
前記検出手段が、前記触感領域へのタッチ入力を検出した場合に、前記触感生成手段は、前記触感領域に設定されている触感を生成することを特徴とする請求項５に記載の情報処理装置。
【請求項７】
前記触感領域の色を指定する色指定手段をさらに有し、
前記表示制御手段は、前記触感領域の色を、前記色指定手段で指定された色で表示することを特徴とする請求項１乃至６の何れか１項に記載の情報処理装置。
【請求項８】
前記触感領域の設定を解除する解除手段をさらに有することを特徴とする請求項１乃至７の何れか１項に記載の情報処理装置。
【請求項９】
情報処理装置が実行する情報処理方法であって、
表示画面に画像を表示する表示制御ステップと、
前記表示画面に表示されている画像中に、触感を与える触感領域を設定する設定ステップと、
前記設定ステップにおいて設定した前記触感領域に関する情報を前記画像に関連付けて記録する記録ステップと
を含み、
前記表示制御ステップにおいて、前記触感領域を、触感の設定されていない領域の表示態様と異なる表示態様で表示することを特徴とする情報処理方法。
【請求項１０】
触感の種別を指定する指定ステップをさらに含み、
前記設定ステップでは、前記触感領域毎に指定された触感の種別をさらに設定し、
前記記録ステップでは、前記画像に関連付けて、前記触感領域毎に指定された触感の種別を記録することを特徴とする請求項９に記載の情報処理方法。
【請求項１１】
前記表示制御ステップでは、前記触感領域を、指定された触感の種別によって異なる表示態様で表示することを特徴とする請求項１０に記載の情報処理方法。
【請求項１２】
触感の強度の指定を受け付ける強度受付ステップをさらに含み、
前記設定ステップでは、前記触感領域毎に指定された強度をさらに設定し、
前記記録ステップでは、前記画像に関連付けて、前記触感領域毎に指定された触感の強度を記録する請求項１０又は１１に記載の情報処理方法。
【請求項１３】
ユーザによる操作子を用いた表示画面へのタッチ入力を検出する検出ステップをさらに含み、
前記設定ステップでは、前記検出ステップにおいて検出したタッチ入力により前記表示画面内での範囲の指定を受け付けて、受け付けた当該範囲を前記触感領域として設定することを特徴とする請求項９乃至１２の何れか１項に記載の情報処理方法。
【請求項１４】
前記表示画面を介して操作子に与える触感を生成する触感生成ステップをさらに含み、
前記検出ステップにおいて前記触感領域へのタッチ入力を検出した場合に、前記触感生成ステップでは、前記触感領域に設定されている触感を生成することを特徴とする請求項１３に記載の情報処理方法。
【請求項１５】
前記触感領域の色を指定する色指定ステップをさらに含み、
前記表示制御ステップでは、前記触感領域の色を、前記色指定ステップで指定された色で表示することを特徴とする請求項９乃至１４の何れか１項に記載の情報処理方法。
【請求項１６】
前記触感領域の設定を解除する解除ステップをさらに含むことを特徴とする請求項９乃至１５の何れか１項に記載の情報処理方法。
【請求項１７】
コンピュータを、
表示画面に画像を表示する表示制御手段と、
前記表示画面に表示されている画像中に、触感を与える触感領域を設定する設定手段と、
前記設定手段で設定した前記触感領域に関する情報を前記画像に関連付けて記録する記録手段と
して機能させるためのプログラムで、
前記表示制御手段は、前記触感領域を、触感の設定されていない領域の表示態様と異なる表示態様で表示することを特徴とするプログラム。
【請求項１８】
触感の種別を指定する指定手段としてさらに機能させ、
前記設定手段は、前記触感領域毎に指定された触感の種別をさらに設定し、
前記記録手段は、前記画像に関連付けて、前記触感領域毎に指定された触感の種別を記録することを特徴とする請求項１７に記載のプログラム。
【請求項１９】
前記表示制御手段は、前記触感領域を、指定された触感の種別によって異なる表示態様で表示することを特徴とする請求項１８に記載のプログラム。
【請求項２０】
触感の強度の指定を受け付ける強度受付手段としてさらに機能させ、
前記設定手段は、前記触感領域毎に指定された強度をさらに設定し、
前記記録手段は、前記画像に関連付けて、前記触感領域毎に指定された触感の強度を記録する請求項１８又は１９に記載のプログラム。
【請求項２１】
ユーザによる操作子を用いた表示画面へのタッチ入力を検出する検出手段としてさらに機能し、
前記設定手段は、前記検出手段が検出したタッチ入力により前記表示画面内での範囲の指定を受け付けて、受け付けた当該範囲を前記触感領域として設定する請求項１７乃至２０の何れか１項に記載のプログラム。
【請求項２２】
前記表示画面を介して操作子に与える触感を生成する触感生成手段としてさらに機能させ、
前記検出手段が、前記触感領域へのタッチ入力を検出した場合に、前記触感生成手段は、前記触感領域に設定されている触感を生成することを特徴とする請求項２１に記載のプログラム。
【請求項２３】
前記触感領域の色を指定する色指定手段としてさらに機能させ、
前記表示制御手段は、前記触感領域の色を、前記色指定手段で指定された色で表示することを特徴とする請求項１７乃至２２の何れか１項に記載のプログラム。
【請求項２４】
前記触感領域の設定を解除する解除手段としてさらに機能させることを特徴とする請求項１７乃至２３の何れか１項に記載のプログラム。
【手続補正２】
【補正対象書類名】明細書
【補正対象項目名】０００６
【補正方法】変更
【補正の内容】
【０００６】
そこで、本発明は、情報処理装置であって、表示画面に画像を表示する表示制御手段と、前記表示画面に表示されている画像中に、触感を与える触感領域を設定する設定手段と、前記設定手段で設定した前記触感領域に関する情報を前記画像に関連付けて記録する記録手段とを有し、前記表示制御手段は、前記触感領域を、触感の設定されていない領域の表示態様と異なる表示態様で表示することを特徴とする。